(57)【要約】【課題】複数のプロット処理器により、全体の効率を向上できる本発明は、画像表示装置及びその方法を提供する。【解決手段】本発明は、既存の画像表示装置において画像処理効率がよくない問題を解消するものであって、画像処理制御器と、画像信号を入力するための伝送インターフェースと、画像を加速処理するための複数のプロット処理器と、画像信号を記憶するための画像メモリと、ビデオ信号をディスプレイに出力する画像信号生成モジュールとが含有される画像表示装置である。複数のプロット処理器で、それぞれ、画像メモリにある画像信号を処理し、画像処理制御器は、当該プロット処理器の演算結果に基づいて、画像信号生成モジュールが画像信号に対して画像変調処理をすることを制御し、画像信号生成モジュールは、ビデオ信号を生成して出力する。【選択図】図２
2006171736.tif 000002
【特許請求の範囲】
【請求項１】
画像信号入力を受信するための伝送インターフェースと、
当該画像信号を記憶するための画像メモリと、
それぞれ、当該画像メモリに記憶されている当該画像信号に対して、画像加速処理を提供するための複数のプロット処理器と、
当該画像信号をビデオ信号を変調して出力するための画像信号生成モジュールと、
当該プロット処理器の演算結果に基づいて、当該画像信号生成モジュールが当該画像信号に対して画像変調処理をすることを制御するための画像処理制御器と、を含むことを特徴とする画像表示装置。
【請求項２】
当該伝送インターフェースは、PCI、PCI-E或いはAGPであることを特徴とする請求項１に記載の画像表示装置。
【請求項３】
当該プロット処理器は、3Dの図形処理器や2Dの図形処理器であることを特徴とする請求項１に記載の画像表示装置。
【請求項４】
伝送インターフェースが画像信号入力を受信し、
当該画像信号を画像メモリに記憶し、
複数のプロット処理器により、それぞれ、当該画像メモリに記憶されている当該画像信号に対して、画像加速処理を行い、
画像処理制御器により、当該プロット処理器の画像信号処理結果を、画像信号生成モジュールに送信し、
当該画像信号生成モジュールにより、当該画像信号をビデオ信号に変調し、出力して表示することを特徴とする画像表示方法。
【請求項５】
当該伝送インターフェースは、PCI、PCI-E或いはAGPであることを特徴とする請求項４に記載の画像表示方法。
【請求項６】
当該プロット処理器は、3Dの図形処理器や2Dの図形処理器であることを特徴とする請求項４に記載の画像表示方法。
【発明の詳細な説明】
【技術分野】
【０００１】
本発明は、画像表示装置及び方法に関し、特に、コンピュータシステムにおいて、ディスプレイに対して画像信号を出力する画像表示装置及び方法に関する。
【背景技術】
【０００２】
コンピュータの表示技術において、IBMが、現在良く知られるVGA標準を推進してから、図形表示モジュールを主とするプロット表示技術が、次々に登場し、80年代のISAインターフェース規格（16bit@8.33Mhz）から90年代のPCI（Peripheral  Component  Interconnect）インターフェース規格（32bit@33Mhz）や最近のAGP（Accelerated  Graphics  Port）インターフェース規格（32bit@66Mhz）までは、主な目的は、伝送インターフェースの帯域幅を増加して、全体の表示効率を向上する。
【０００３】
図１は、従来の画像表示装置のフロック図である。画像表示装置7は、ディスプレイカードやコンピュータのマザーボード上に設置されたディスプレイチップモジュールである。画像表示装置7の動作原理は、伝送インターフェース71でチップセット8が出力した、表示するための画像信号を受信し、そして、画像信号を画像メモリ73に記憶する。プロット処理器72は、画像メモリ73に記憶されている画像信号に対して、グラフィックスアクセラレート処理機能を提供することにより、中央処理装置の負荷を低減し、また、画像処理制御器（CRTC）70で、画像信号の各画素色に対して、適当な処理を行ってから、画像信号生成モジュール74に出力し、そして、画像信号生成モジュール74が生成したビデオ信号を、ディスプレイ（図に未表示）に供給し、また、画像処理制御器70は、ビデオ信号の出力に合せって、画像同期信号をディスプレイに対して出力する。
【０００４】
図１を参照しながら、画像表示装置7を例として、PCI-E（Peripheral  Component  Interconnect-Express）が登場するまでに、プロット処理器72が提供できる演算効率が、伝送インターフェース71が提供した伝送効率に対応できる。が、PCI-Eが登場すると、情況が大分変わっていき、プロット処理器72の演算効率が、PCI-Eの伝送効率に追及できず、また、即時性及び真実度を要求するビデオゲーム市場において、より速い3Dのプロット処理を要求し、膨大なデータ処理量は、一般の画像表示装置7が負荷できる処理量を大幅にオーバーする。今までの対策として、二つの画像表示装置を提供してソフトウェアを介して分工の方式により同時処理をするが、効果の向上が制限され、需要を完全に満足できず、また、それとともに、ハードトウェアのコストの増加や二つのスロットが必要とするハードトウェアの設備などは、ユーザーにとって不便である。
【発明の開示】
【発明が解決しようとする課題】
【０００５】
本発明は、従来の画像表示装置が、一つだけのプロット処理器を有するため、画像演算効率が、伝送インターフェースにとって不充分である問題に対して、複数のプロット処理器の設計により、演算効率が向上される画像表示装置及び方法を提供する。
【課題を解決するための手段】
【０００６】
本発明は、上記の技術問題を解消するために、画像信号を受信するための伝送インターフェースと、当該画像信号を記憶するための画像メモリと、それぞれ、当該画像メモリに記憶されている当該画像信号に対して画像加速処理を提供する複数のプロット処理器と、当該画像信号をビデオ信号に変調して出力するための画像信号生成モジュールと、当該プロット処理器の演算結果に基づいて、当該画像信号生成モジュールが当該画像信号に対して画像変調処理を制御する画像処理制御器とが含有される画像表示装置である。
【０００７】
前記の伝送インターフェースは、PCI、PCI-E或いはAGPである。
【０００８】
前記のプロット処理器は、3Dの図形処理器や2Dの図形処理器である。
【０００９】
本発明は、伝送インターフェースにより画像信号入力を受信し、当該画像信号を画像メモリに記憶し、複数のプロット処理器で、それぞれ、当該画像メモリに記憶されている当該画像信号について、画像加速処理をし、画像処理制御器により、当該プロット処理器の画像信号処理結果を画像信号生成モジュールに送信し、当該画像信号生成モジュールにより、当該画像信号をビデオ信号に変調し、そして出力して表示する画像表示方法である。
【００１０】
本発明に係わる画像表示装置及び方法は、画像表示装置において、複数のプロット処理器の設計を取り、複数のプロット処理器により、並行に画像メモリにある画像信号を処理し、また、伝送インターフェースにPCI-Iを利用する設計により、データの伝送速度が、大幅に向上され、そして、画像表示装置全体の演算効率も大幅に向上される。
【発明を実施するための最良の形態】
【００１１】
以下、図面を参照しながら、本発明の目的や特徴及び効果に詳しく説明し、しかしながら、図面などは参考用且つ説明用であり、本発明は、それによって制限されることがない。
【００１２】
本発明は、従来の画像表示装置において、演算効率がPCI-Eに追及できない問題について、画像表示装置において今までない内部構造を提供することにより、画像処理の演算効率が向上される。
【００１３】
図２は、本発明のより良い実施例のフロック図である。本実施例の画像表示装置1は、画像処理制御器10と、伝送インターフェース11と、複数のプロット処理器12、13と、画像メモリ14と、画像信号生成モジュール15とが含有される。本実施例の画像表示装置1が、従来の技術との最大の差異は、複数のプロット処理器12、13を提供することであり、プロット処理器は、二つに限らず、複数でもよく、プロット処理器12、13は、同時に稼働することや一部だけ稼働することにより、画像表示装置1の処理効率が向上される。
【００１４】
本実施例の画像処理制御器10は、画像演算の制御核心であり、画像同期信号をディスプレイ（図に未表示）に出力するだけでなく、プロット処理器12、13及び画像信号生成モジュール15との間において、処理信号の演算を制御する。プロット処理器12、13は、画像処理過程において、必要とする3D/2Dの画像加速処理を提供し、例えば、ブロック塗りつぶしやブロック移動、…等であり、プロット処理器12、13は、3Dの図形処理器や2Dの図形処理器である。画像信号生成モジュール15は、画像処理制御器10が処理した各画素色を、画像変調処理をしてから、ディスプレイにビデオ信号を出力し、画像信号生成モジュール15は、ルックアップテーブル（LUT）やマルチプレクサ（MUX）、ガンマ制御器、Ｄ／Ａ変換器（DAC）及びディザ等が含有される。本実施例において、伝送インターフェース11は、コンピュータシステムのチップセット2との間のデータ転送を提供し、伝送インターフェース11は、好ましいのがPCI-Eであるが、これに制限されず、PCIやAGPでも良い。
【００１５】
本実施の画像表示装置1の表示方法は、まず、伝送インターフェース11により、チップセット2が出力した表示のための画像信号を受信して、当該画像信号を画像メモリ14に記憶する。当該プロット処理器12、13は、それぞれ、画像メモリ14に記憶されている画像信号に対して、グラフィックスアクセラレート処理機能を提供して、中央処理装置の負荷を低減し、また、画像処理制御器10により、画像信号の各画素色について適当な処理を行ってから、画像信号生成モジュール15に出力し、画像信号生成モジュール15が、ビデオ信号を生成してディスプレイに提供し、また、画像処理制御器10は、ビデオ信号の出力に合せって、ディスプレイに画像同期信号を出力する。
【００１６】
以上のように、本実施例の画像表示装置1は、内部に複数のプロット処理器12、13を設置することにより、分工方式で画像メモリ14に記憶されている画像信号に対する処理の速度が向上されるため、画像表示装置1の処理効率が伝送インターフェース11の帯域幅に追及しないことを解消できる。また、膨大なデータ量の入力に対応できるために、本実施例は、伝送インターフェース11が、高速伝送できるPCI-Eであり、そのため、本実施例の画像表示装置1全体の演算効率が、大幅に向上され、また、従来の画像表示装置である内部に一つしかないプロット処理器が提供できる演算効率より、高く上回る。
【００１７】
本発明は、上記の技術により、従来と完全に異なる設計を提供し、全体の使用価値が向上され、また、刊行物に披露されることなく、公的に使用されることも無いため、法に従って、特許請求を出願する。
【００１８】
以上の図面や説明は、ただ、本発明の実施例であり、当該技術を良く分かる熟練者であれば、簡単に、上記の説明に従って様々の修正や変更ができ、当該修正や変更は、全てが本発明の特許請求の範囲に含まれる。
【図面の簡単な説明】
【００１９】
【図１】従来の画像処理装置のフロック図である。
【図２】本発明のより良い実施例のフロック図である。
【符号の説明】
【００２０】
1                 画像表示装置
10                画像処理制御器
11                伝送インターフェース
12、13            プロット処理器
14                画像メモリ
15                画像信号生成モジュール
2                 チップセット
【図１】
2006171736.tif 000003
【図２】
2006171736.tif 000004